(57)【要約】【課題】カラスなどの鳥類による被害を防止するための鳥害防止装置であって、光を乱反射させながら不規則な金属音を発生させて鳥類を効果的に忌避させるとともに、長期間使用しても鳥類が慣れにくい構成にする。【解決手段】光反射性を有し、可撓性を有した金属製薄板素材で形成されるシート体２を備え、該シート体は、シート本体３と羽根体６とで構成され、羽根体には、シート本体から面一状の主羽根部７と該主羽根部から左右方向に延出する第一、第二羽根部８、９が形成されるとともに、シート本体には、中心に挿通管４が挿通する貫通孔５が穿設され、該挿通管はワイヤ１３が遊嵌状に貫通するように構成して、シート体が挿通管およびワイヤの軸回り方向の回転に加えて、傾斜移動と軸心方向の移動をするようにした。【選択図】図１１
2013017396.tif 000002
【特許請求の範囲】
【請求項１】
表裏面が光反射性を有し、弾性振動および／または弾性変形によって発音するべく可撓性を有した金属製薄板素材で形成されるシート体を備えた鳥害防止装置であって、
前記シート体は、中心に貫通孔が穿設されたシート本体と、該シート本体の外端縁から外方向に向けて突出し、周回り方向等間隔に形成される複数の羽根体とから構成され、
該羽根体は、シート本体から面一状に延出し、周回り方向左右端縁を有する主羽根部と、
該主羽根部の左右一端縁から左右方向に延出してシート体表面側に折曲形成した第一羽根部と、
前記主羽根部の左右他端縁から左右方向に延出してシート体裏面側方向に折曲形成した第二羽根部とから構成されると共に、
前記シート本体は、貫通孔に挿通管が遊嵌状に貫通することで挿通管に対する傾斜移動と表裏方向の移動と軸回り方向の回転とが許容され、
前記挿通管は、シート体の表裏方向の移動量を決定するための表裏一対の抜止め部を有し、
前記挿通管は、支持部材が遊嵌状に貫通することで支持部材に対する傾斜移動と軸心方向の移動と軸回り方向の回転とが許容され、
さらに支持部材は、挿通管の軸心方向の移動量を決定するための一対の止め部を有していることを特徴とする鳥害防止装置。
【請求項２】
前記主羽根部は、貫通孔を通る直線に対して線対称の状態で左右端縁間が外側ほど幅狭となる三角形状をし、
第一、第二羽根部は、主羽根部の左右端縁から外側ほど幅広となるよう三角形状に折曲形成された第一面部と、
該第一面部の左右方向端縁から左右方向に延出し、外側ほど幅広となるよう三角形状になる状態で第一面部よりもさらに表裏面側に向けて折曲形成された第二面部とからなることを特徴とする請求項１記載の鳥害防止装置。
【請求項３】
請求項３の発明は、シート本体は円板状であって、該シート本体の中心からシート本体の外端縁までの距離は、シート本体の中心から羽根体の外端縁までの距離のおよそ半分であることを特徴とする請求項１または２記載の鳥害防止装置。
【請求項４】
羽根体は３枚〜１０枚までであることを特徴とする請求項１乃至３の何れか１記載の鳥害防止装置。
【請求項５】
支持部材は鳥害防止対象領域に張設された長尺状のワイヤであり、シート体は、該ワイヤに適宜間隔を存して複数設けられていることを特徴とする請求項１乃至４の何れか１記載の鳥害防止装置。
【請求項６】
支持部材が有する止め部の間隔は、挿通管の長さよりも長くなるよう設定されていることを特徴とする請求項１乃至５の何れか１記載の鳥害防止装置。
【発明の詳細な説明】
【技術分野】
【０００１】
本発明は、カラスなどの鳥類による被害を防止するための装置であって、風や光により反射光を発したり、回転、発音したりすることによって鳥類を退散させる鳥害防止装置の技術分野に関するものである。
【背景技術】
【０００２】
カラスなどの鳥類による被害を防止するための対策としては、被害を受けると想定される田畑やビニールハウスなどの対象物全体をテグス等で覆って保護したり、その対象物の周囲にＣＤやＤＶＤ等の光ディスクを吊り下げて光の不規則な反射を得ることによって鳥類を脅したりして近寄らせないようにしたりしている。
この種のものとしては、例えば風車の回転軸に円板を取付けて、風車とともに回転する円板が動く目玉のように見えるよう着色を施したものや（例えば、特許文献１参照。）、板材に嵌めこんだガラス玉によって太陽光を反射させるとともに、板材の両端部を弾力性のある部材で支持して板材そのものが風で揺動したり回転したりするよう構成したもの（例えば、特許文献２参照。）、或いは空中に張設されたワイヤに、遊動フックが遊動自在かつ回転自在に取付けられたアームを連結し、該遊動フックから懸吊される光ディスクの揺動によって太陽光を乱反射させるよう構成したもの（例えば、特許文献３参照。）等が提唱されている。
【０００３】
また、被害対象地域において不規則な発砲音や威嚇音を発することによって、有害鳥類を畏怖させて近づけさせないようにする方法も採られている。
この種のものとしては、予め設定された時間に、砲身内に設けられた燃焼室で可燃物を爆発させ、肥料を成分とする弾材を砲身から空中に向けて放出させて、燃焼室における爆発音とそれに伴う弾材の放出とによって鳥を脅すように構成したものや（例えば、特許文献４参照。）、被害対象地域に赤外線センサーを設置して、該赤外線センサーが動物の到来を感知すると狼や犬の鳴き声等の音声をスピーカーから発するよう構成したもの（例えば、特許文献５参照。）等が提唱されている。
【先行技術文献】
【特許文献】
【０００４】
【特許文献１】特開昭６１−１１５４３３号公報
【特許文献２】実公平６−２５５４号公報
【特許文献３】特開２００２−３４４２７号公報
【特許文献４】実開平６−５４８１号公報
【特許文献５】特開平６−１８１６７４号公報
【発明の概要】
【発明が解決しようとする課題】
【０００５】
ところが、前記従来のものは、例えば特許文献１のものでは、長期間の使用によって色褪せしたり汚れが付着したりして効果が薄らいでしまうのみならず、回転以外の動きがないため、最初は警戒していた鳥類も徐々に慣れて警戒心を持たなくなってしまい効果が持続しないという問題がある。また、特許文献２のものでは、特許文献１と同様にガラス玉に汚れが付着すると反射光が得られないうえ、板材の揺動や回転という比較的単純な動きだけではやはり効果が持続しないという問題がある。さらに、特許文献３のものでは、反射面積が広い光ディスクを吊下げることによってより多くの光を反射させることはできるが、光ディスクは平面状でありしかも吊り下げられた状態で使用されるため、無風或いは微風下では限られた場所にしか光を反射させることができず、そのうえ動きが乏しいためすぐに鳥が警戒しなくなってしまって鳥害防止の効果は低いものである。
一方、特許文献４のものでは、鳥を威嚇する程の大きな爆発音は周辺住民にとっても不快なものであり、近隣騒音の問題を惹起こす惧れがあるため、居住地に近い場所では使用しにくいという問題があり、また、特許文献５のものでは、赤外線センサーを被害対象地域の周辺全てに設置しなければならないため対象地域が広範囲であった場合には費用が嵩み、また電源のないところでは使用できないという問題もあって、これらに本発明の解決すべき課題がある。
【課題を解決するための手段】
【０００６】
本発明は、上記の如き実情に鑑みこれらの課題を解決することを目的として創作されたものであって、請求項１の発明は、表裏面が光反射性を有し、弾性振動および／または弾性変形によって発音するべく可撓性を有した金属製薄板素材で形成されるシート体を備えた鳥害防止装置であって、前記シート体は、中心に貫通孔が穿設されたシート本体と、該シート本体の外端縁から外方向に向けて突出し、周回り方向等間隔に形成される複数の羽根体とから構成され、該羽根体は、シート本体から面一状に延出し、周回り方向左右端縁を有する主羽根部と、該主羽根部の左右一端縁から左右方向に延出してシート体表面側に折曲形成した第一羽根部と、前記主羽根部の左右他端縁から左右方向に延出してシート体裏面側方向に折曲形成した第二羽根部とから構成されると共に、前記シート本体は、貫通孔に挿通管が遊嵌状に貫通することで挿通管に対する傾斜移動と表裏方向の移動と軸回り方向の回転とが許容され、前記挿通管は、シート体の表裏方向の移動量を決定するための表裏一対の抜止め部を有し、前記挿通管は、支持部材が遊嵌状に貫通することで支持部材に対する傾斜移動と軸心方向の移動と軸回り方向の回転とが許容され、さらに支持部材は、挿通管の軸心方向の移動量を決定するための一対の止め部を有していることを特徴とする鳥害防止装置である。
請求項２の発明は、前記主羽根部は、貫通孔を通る直線に対して線対称の状態で左右端縁間が外側ほど幅狭となる三角形状をし、第一、第二羽根部は、主羽根部の左右端縁から外側ほど幅広となるよう三角形状に折曲形成された第一面部と、該第一面部の左右方向端縁から左右方向に延出し、外側ほど幅広となるよう三角形状になる状態で第一面部よりもさらに表裏面側に向けて折曲形成された第二面部とからなることを特徴とする請求項１記載の鳥害防止装置である。
請求項３の発明は、シート本体は円板状であって、該シート本体の中心からシート本体の外端縁までの距離は、シート本体の中心から羽根体の外端縁までの距離のおよそ半分であることを特徴とする請求項１または２記載の鳥害防止装置である。
請求項４の発明は、羽根体は３枚〜１０枚までであることを特徴とする請求項１乃至３の何れか１記載の鳥害防止装置である。
請求項５の発明は、支持部材は鳥害防止対象領域に張設された長尺状のワイヤであり、シート体は、該ワイヤに適宜間隔を存して複数設けられていることを特徴とする請求項１乃至４の何れか１記載の鳥害防止装置である。
請求項６の発明は、支持部材が有する止め部の間隔は、挿通管の長さよりも長くなるよう設定されていることを特徴とする請求項１乃至５の何れか１記載の鳥害防止装置である。
【発明の効果】
【０００７】
請求項１の発明とすることにより、表裏光反射性を有するシート体は、シート本体から面一状に延出した主羽根部の左右端縁から表裏逆方向に折曲形成された第一、第二羽根部を有し、しかもシート本体中心部の貫通孔に対し、移動量が決められてはいるが表裏方向の移動がなされる状態で挿通管が遊嵌され、かつ該挿通管は、支持部材に対し、移動量は決められているが軸心方向の移動がなされる状態で遊嵌されている。この結果、シート体は、それぞれ二段階の傾斜移動と表裏方向の移動とが合体したことによる振れを含む不規則かつ複雑な回転を弱風下でも行うことになって、シート体から発せられる反射光がめまぐるしく変化する乱反射状態になることに加えて「ガシャガシャ」というような不規則な金属音もシート体から発せられて鳥類を威嚇することができ、このため鳥類に恐怖心を起こさせ得て鳥害防止対象領域に近づくことが有効に回避されることになる。
請求項２の発明とすることにより、羽根体がより一層風を孕み易いものとなって仮令微風であってもシート体を確実に回転させることができるとともに高速回転化が達成でき、それに伴って光がよりめまぐるしく乱反射して鳥類を威嚇することができ、このため鳥類をより効率良く忌避させることができる。
請求項３の発明とすることにより、シート体は、羽根体とシート本体とで風を受けることになって、回転移動と傾斜移動と表裏方向の移動とがバランスよく合体した複雑な動きをすることになり、より多くの不規則な金属音を発生させることができる。
請求項４の発明とすることにより、安定したシート体の回転を得ることができる。
請求項５の発明とすることにより、鳥害防止対象領域が広範囲であっても領域全体を網羅するようにしてシート体を配設することができて、対象領域全体でくまなく鳥を忌避させることができる。また、シート体はワイヤに対して適宜間隔を存して配設することができるため、使用場所の状況に応じたシート体の配設をすることができる。
請求項６の発明とすることにより、挿通管は支持部材に対して軸心方向に移動することができて、シート体は、挿通管に設けられた抜止め部のあいだの移動に加えて、挿通管の止め部のあいだの移動によっても移動可能となるため、シート体のより複雑な軸心方向の移動を達成することができる。
【図面の簡単な説明】
【０００８】
【図１】シート体の正面図である。
【図２】シート体の平面図である。
【図３】シート体の底面図である。
【図４】シート体の左側面図である。
【図５】シート体のＸ−Ｘ拡大断面図である。
【図６】シート体の展開図である。
【図７】シート体の拡大斜視図である。
【図８】シート体の部分拡大展開図である。
【図９】（Ａ）、（Ｂ）は、それぞれシート体が挿通管と抜止め部材とのあいだで移動する様子を示す部分断面図であって、（Ａ）はシート体の傾斜移動、（Ｂ）はシート体の表裏方向の移動を示す。
【図１０】（Ａ）、（Ｂ）は、それぞれ挿通管にワイヤが貫通した状態で挿通管が移動する様子を示す部分断面図であって、（Ａ）は挿通管の傾斜移動、（Ｂ）は挿通管の軸心方向の移動を示す。
【図１１】鳥害防止装置が組み付けられた状態を示す全体図である。
【発明を実施するための形態】
【０００９】
以下、本発明の実施の形態について、図面に基づいて説明する。
図面において、１はカラス、ヒヨドリ、スズメなどの鳥類による被害を防止するための鳥害防止装置としての防鳥器であって、該防鳥器１は、例えばステンレス等の光反射率が高くかつ錆び難い金属製素材を、可撓性を有するまで薄板状にした薄板素材を用いて形成されたシート体２を備えて構成される。
該シート体２は中心部が円板状のシート本体３となっており、該シート本体３の中心部３ａには後述する挿通管４が遊嵌状に挿通するための貫通孔５が穿設されている。
また、シート本体３の外端縁３ｂからは、シート本体３の外方向に向けて複数枚の羽根体６が周回り方向等間隔にプロペラ状に突出形成されている。本実施の形態では羽根体６を３枚としたが、これに限定されないものであって、２枚以上であればよいが、回転効率や鳥害防止効果の観点から１０枚程度までが好適である。
【００１０】
羽根体６は、図８に示す展開状態（後述する折曲形成前の状態）で、貫通孔５の中心に頂角α（本発明の実施の形態では６０度）を有し、シート本体３の半径ｒ（本発明の実施の形態では約５．５ｃｍ）の倍の長さの二等辺β（本発明の実施の形態では１１ｃｍ）を有する二等辺三角形γのシート本体３より外方に延出した部分δであって、さらに該二等辺三角形γの底角εに相当する部分がＲ状の曲線となって切り落とされたものとして形成されている。
【００１１】
このようにして形成される羽根体６は、中央部がシート本体３から面一状であり、かつ、貫通孔５を通る直線Ｘに対して線対称の状態で左右端縁間が外側ほど幅狭な二等辺三角形状の主羽根部７となっており、該主羽根部７の左端縁７ａからは、周回り方向左側に延出してシート体２の表面側に折曲された第一羽根部８が形成されるとともに、主羽根部７の右端縁７ｂからは、周回り方向右側に延出してシート体２の裏面側に折曲された第二羽根部９が形成されている。
【００１２】
第一羽根部８および第二羽根部９は、主羽根部７の左右各端縁７ａ、７ｂから外側ほど幅広となるよう直角三角形状に折曲形成された第一面部１０ａ、１０ｂと、該第一面部１０ａ、１０ｂの左右端縁１０ｃ、１０ｄからさらに左右方向に延出し、外側ほど幅広な直角三角形状となるよう第一面部１０ａ、１０ｂよりもさらに表裏面側に向けて折曲形成された第二面部１１ａ、１１ｂとで構成されている。
そして第二面部１１ａ、１１ｂの羽根体６の外端コーナー縁となる部分１１ｃ、１１ｄは、前述したようにＲ状の曲線となっている。
【００１３】
ここで、主羽根部７と第一面部１０ａ、１０ｂとあいだはそれぞれシート体２の表裏方向に向けて約３０度、第一面部１０ａ、１０ｂと第二面部１１ａ、１１ｂとのあいだはそれぞれシート体２の表裏方向に向けて約２０度づつ折曲されており、これによって、羽根体６は、左右両端縁がシート体２の表裏面側に向けて対称形となっており、シート体２が該シート体２の表裏何れの側から風を受けても同様に回転するようになっている。
【００１４】
このように形成される羽根体６は、シート体２の中心から周回り方向に６０度の間隔を存して配される二等辺三角形γと重なるようにして３枚形成されており、シート体２は各羽根体６が風を受けることで回転するようになっている。
【００１５】
一方、前記シート本体３の中心に穿設された貫通孔５には円筒状の挿通管４が遊嵌状に貫通している。そして挿通管４の左右両端部からは、貫通孔５に貫通した状態で、シート本体３を表裏に挟むようにしてリング状の抜止め部材１２ａ、１２ｂが無理嵌め状に圧入されており、これによって挿通管４に対するシート体２の表裏方向の移動量が決定されている。そしてシート体２は、風を受けた場合に、挿通管４に対し、図９（Ａ）に示すような傾斜移動と、図９（Ｂ）に示すような表裏方向の移動と、軸回り方向の回動とが協働する複雑な変姿をするようになっており、この複雑な変姿に合わせてシート体２の複雑な撓みが重なって「ガシャガシャ」というような不規則で複雑な金属音も発音すると共に、表裏に光が乱反射するようになっている。
【００１６】
さらに前記挿通管４には、本発明の支持部材であるワイヤ１３が遊嵌状に貫通しているが、このワイヤ１３には、挿通管４の軸心方向の移動量を決定するための螺子止め式の止め具１４ａ、１４ｂが本発明の止め部の実施の形態として設けられており、これによって挿通管４は、図１０（Ａ）に示すようにワイヤ１３に対する傾斜移動と、図１０（Ｂ）に示すようにワイヤ１３の軸心方向の移動と、ワイヤ１３の軸回り方向の移動をするが、これらの移動はワイヤ１３の撓みと協働する複雑な変姿をするようになっており、この結果、シート体２は、前述したシート体２の挿通管４に対する複雑な変姿と、ワイヤ１３と挿通管４とのあいだの複雑な変姿とが機能する二段階の変姿が協働することになっている。
【００１７】
叙述の如く構成された本発明の実施の形態において、防鳥器１は、シート体２の貫通孔５に挿通管４を挿通した後に該挿通管４の左右両端部から抜止め部材１２ａ、１２ｂを圧入し、しかる後該挿通管４にワイヤ１３を貫通させ、ワイヤ１３の挿通管４から離間した位置に適宜止め具１４ａ、１４ｂを取付けていく。
このようにして所望の数のシート体２及び止め具１４ａ、１４ｂをワイヤ１３に取付けた後は、図１１に示すように、例えば田畑等の鳥被害対象領域の両端に立てられた支柱１５等にワイヤ１３が張設された状態になるように懸架していく。
尚、最初にシート体を必要枚数だけワイヤ１３に貫通させた後にワイヤ１３を支柱１５に懸架し、しかる後にワイヤ１３の適当な位置にシート体２を移動させ、止め具１４ａ、１４ｂを挿通管４から離間した位置に適宜取付けていっても良いことは勿論である。
【００１８】
このようにして、騒音、糞、食い荒らし等の鳥被害が想定される場所の上部や側部にシート体２が回転自在に取付けられたワイヤ１３を懸架することによって、光反射性を有する金属製薄板素材で形成されたシート体２が太陽光を反射しつつ回転して鳥類を威嚇することになるが、このとき該シート体２に形成された主羽根部７及び主羽根部７の左右端縁から表裏逆方向に折曲形成された第一、第二面部１０ａ、１０ｂ、１１ａ、１１ｂを有する第１、第２羽根部８、９によってシート体２が風を良く孕み効率よく回転することができる。このためシート体の回転に伴って反射光がめまぐるしく変化し、効果的に鳥類を威嚇することができる。
【００１９】
また、シート体２は、光反射性の高い素材を用いて形成されていることから、夜間であっても例えばスポットライトのような指向性の強い光をシート体２に向けて照射すれば昼間と同様に光を反射させることができて、このような使用によって夜行性の鳥類などに対しても威嚇効果を発揮することができる。
【００２０】
しかもシート体２は、可撓性を有する金属製薄板素材で形成され、尚且つ、該シート体２の中心に形成された貫通孔５に対し、移動量が決められてはいるがシート体２の表裏方向に移動可能な状態で挿通管４が遊嵌され、かつ該挿通管４は、ワイヤ１３に対して、移動量が決められてはいるが軸心方向に移動可能な状態で遊嵌されているため、シート体２は、それぞれ二段階の傾斜移動とシート体２の表裏方向の移動とが合体して、振れを含む不規則かつ複雑な回転を弱風下でも行うことになって、シート体２からの乱反射状態の反射光に加えてシート体２から発せられる「ガシャガシャ」というような不規則な金属音が発せられることになる。このため鳥類に恐怖心を起こさせ得て鳥類が被害対象領域に近づくことが有効に回避され、鳥害被害を効率よく防止することができる。
また、このような不規則な音は昼夜の別なく発生するため、鳥類のみならず夕暮れ時や深夜、或いは早朝に活発に餌探しをするような夜行性動物に対しても充分な威嚇効果が発揮できる。
【００２１】
このように、本発明の防鳥器１によれば、シート体２の回転による太陽光の乱反射のみならず、風を受けることで発生するシート体２の不規則な傾斜移動やシート体表裏方向への移動による不規則な金属音の発生によっても鳥類を威嚇することができ、これら光と音との組み合わせによる相乗効果でもってより一層効果的に鳥類を忌避させることができる。
そして、このような乱反射と不規則に発せられる金属音とは、不規則であるが故に鳥類にとって動きが読めないものであって、何時まで経っても慣れることができず、従来の鳥害防止装置のように長期間の使用によって鳥類が慣れてしまい威嚇効果が薄れていくという問題を解消することができる。
【００２２】
本発明の防鳥器１は、鳥類が寄り付く場所に設置することによって、鳥類が寄り付かなくなり長期間に亘って鳥類を忌避できるため、白菜やキャベツ等の畑や苺のビニールハウス等、鳥類によって被害を受けている場所での被害を長期間に亘って連続的に防止できる。
【００２３】
尚、シート体２は、本発明の実施の形態では、例えばステンレス板を用いて形成したものとしたが、これに限定されるものではなく、光反射性を有し、振動によって発音する可撓性を有した金属素材であれば何で良いのであって、メッキや蒸着が施された金属板材を用いて形成しても良いことは勿論である。
また、止め具１４は、本発明の実施の形態では、螺子止め式のものを用いているが、シート体２がワイヤ１３上を移動しないよう規制できるものであれば何でも良いのであって、クリップ式、リング式の止め具等を用いても良く、またワイヤ自体を捻って形成しても良く、特に限定されるものではない。
また支持部材としてはワイヤに限定されるものではなく、硬い棒状のものや紐状のものであっても勿論良い。
【産業上の利用可能性】
【００２４】
本発明は、鳥害防止装置を取付ける場合に関連する産業分野で利用することができる。
【符号の説明】
【００２５】
１  防鳥器
２  シート体
３  シート本体
４  挿通管
５  貫通孔
６  羽根体
７  主羽根部
８  第一羽根部
９  第二羽根部
１２ａ、１２ｂ  抜止め部材
１３  ワイヤ
１４ａ、１４ｂ  止め具
【図１】
2013017396.tif 000003
【図２】
2013017396.tif 000004
【図３】
2013017396.tif 000005
【図４】
2013017396.tif 000006
【図５】
2013017396.tif 000007
【図６】
2013017396.tif 000008
【図７】
2013017396.tif 000009
【図８】
2013017396.tif 000010
【図９】
2013017396.tif 000011
【図１０】
2013017396.tif 000012
【図１１】
2013017396.tif 000013